(57)【特許請求の範囲】
【請求項１】
建物の内側に設置される室内機と建物の外側に設置される室外機とが連結管で連結される後付けの空調機器の取り付け構造において、
建物の壁面内に配管用ダクトが組み込まれ、この配管用ダクトの一方の端部に室内用ジョイントボックスが設けられ、他方の端部に室外用ジョイントボックスが設けられ、これらのジョイントボックスは、配管の曲がりを許容した大きさのものであり、
前記室内用ジョイントボックスの前面は室内に開口し、上記後付けの空調機器の背部に接続するものであり、
前記室外用ジョイントボックスの前面は室外に開口し、その前面にフードが設けられ、
前記連結管は、壁面内に組み込まれた配管用ダクト内に挿通されていると共に、前記フードを介して室外に引き出されて室外機と連結され、
更に、連結管の他に排水ドレンが配され、この排水ドレンは、壁面内に組み込まれた配管用ダクト内に挿通されていると共に、前記フードを介して室外に引き出されて建物の外側に向けて配されていることを特徴とする空調機器の取り付け構造。
【発明の詳細な説明】
【発明の属する技術分野】
【０００１】
本発明は、エアコン等の空調機器の建物への取り付け構造に関するものである。
【従来の技術】
【０００２】
従来の一般的なエアコン等の空調機器の設置方法は、室内機を壁や天井の一部に組み込むビルトインタイプと室内機・室外機を建物外部に露出した配管で結ぶセパレートタイプに大別される。ビルトインタイプは機種が限定され、本体価格・取り付け工費も高価となり、然も故障や交換の際、壁や天井等の造作にも手を入れる必要が生じる場合がある。
【０００３】
実際の施工例の中には、古くなった空調機器を取り替える際に、新築時に壁や天井に埋め込んだ配管をそのままでは引き抜くこともできず、壁を壊さなければ配管を交換することができない場合もあり、無理に引き抜くと壁の中の断熱材を動かしてしまうか、配管もろとも引き抜いてしまうことになり、後日の結露等の原因になる。
【０００４】
また、セパレートタイプは取り付けも交換も簡単で、ビルトインタイプより本体価格・取り付け工費も安価であるが、室外機と室内機を結ぶ配管が建物の外部に露出して美観を損なうのである。然も大抵の場合、事前に設置されているのは空調機器用の電源コンセントのみで、配管を壁に通すためのスリーブは設けられていない。新築時に空調機器用のスリーブが設置されていれば問題はないが、その家の構造を熟知していない業者が壁に穴をあけたりすると、建物の梁を抜いてしまったり、配管の取り回しも考えずに建物外壁に配管を延々と這わせたりすることになる。上記の何れの場合も、空調機器に対して後付け的な処置にすぎない。然も室外機を露出し、吹きさらしで稼働させておくのは、美観と効率の両面から好ましくない。
【発明が解決しようとする課題】
【０００５】
上記点より本発明は、エアコン等の空調機器の室外機と室内機を結ぶ配管が配管し易く、室内や建物の外部に露出せず、建物の美観も良く、又室外機を建物の外部に露出させず、空調機器の効率の良い稼働を促すと共に、建物構造体換気も併せて行うことを可能とした空調機器の取り付け構造を提供するものである。
【課題を解決するための手段】
【０００６】
上記課題を解決するため本発明は、建物の内側に設置される室内機と建物の外側に設置される室外機とが連結管で連結される後付けの空調機器の取り付け構造において、建物の壁面内に配管用ダクトが組み込まれ、この配管用ダクトの一方の端部に室内用ジョイントボックスが設けられ、他方の端部に室外用ジョイントボックスが設けられ、これらのジョイントボックスは、配管の曲がりを許容した大きさのものであり、前記室内用ジョイントボックスの前面は室内に開口し、上記後付けの空調機器の背部に接続するものであり、前記室外用ジョイントボックスの前面は室外に開口し、その前面にフードが設けられ、前記連結管は、壁面内に組み込まれた配管用ダクト内に挿通されていると共に、前記フードを介して室外に引き出されて室外機と連結され、更に、連結管の他に排水ドレンが配され、この排水ドレンは、壁面内に組み込まれた配管用ダクト内に挿通されていると共に、前記フードを介して室外に引き出されて建物の外側に向けて配されていることを特徴とするものである。
【０００７】
【０００８】
本発明は、配管用ダクトを壁面内に設け、この配管用ダクト内に連結管および排水ドレンを挿通しているので、連結管および排水ドレンが室内から見えなくなる。
【０００９】
また、前記配管用ダクトの上端部に配管の曲がりを許容した大きさの室内用ジョイントボックスを設け、前記配管用ダクトの下端部に配管の曲がりを許容した大きさの室外用ジョイントボックスを設けているため、配管作業時に配管用ダクトの端部に広いスペースが確保でき、作業が容易となると共に、配管用ダクトの端部を室内機側および室外機側に向け屈曲する必要がない。又、配管用ダクト内に挿通される連結管および排水ドレンも配管用ダクトの端部より直角状態で屈曲するのではなく、余裕をもたして屈曲でき、連結管および排水ドレンの室内機・室外機への取り付け作業や交換作業が容易となる。
【００１０】
【発明の実施の形態】
【００１１】
以下、本発明の一実施の形態を図面に基づき説明する。図１は本発明の一実施の形態を示す側面図、図２は同上の部分拡大断面図、図３は本発明の一実施の形態を示す側面図、図４は同上の部分拡大断面図である。
【００１２】
而して、図１および図２の請求項１の発明において、図中１は建物２の壁面であり、壁面１内に配管用ダクト３がブラケット４により取り付けられ、その上端に配管の曲がりを許容した大きさの室内用ジョイントボックス５が連結され、室内用ジョイントボックス５の前面は室内に開口し、空調機器であるエアコンの室内機６の背部に接続されている。
【００１３】
また、配管用ダクト３の下端に配管の曲がりを許容した大きさの室外用ジョイントボックス７が連結され、室外用ジョイントボックス７の前面は室外に開口し、その前面にガイド穴を有して屋外に突き出たフード８が設けられている。配管用ダクト３内に空調機器であるエアコンの室内機６と室外機９とを連結する連結管１０および室内機６から排水ドレン１１が挿通されている。尚、図中１２は室内用ジョイントボックス５に設けたコンセントである。
【００１４】
次に、図３および図４の発明に於いて、図１および図２と相当する箇所にはそれと同一符号を付してある。この発明は、室外機９が建物２の床下１３に設置され、床下１３内の空気を吸引して外部に放出できるようになっている。又、配管用ダクト３の下端は床下１３まで真直に延長しているので、請求項１のように室外用ジョイントボックス７は不要となり、連結管１０は配管用ダクト３の下端より床下１３へ突出し、床１４の裏面に配管ハンガー１５で固定し、室外機９に連結している。又、排水ドレン１１は配管用ダクト３下端からの突出部はそのまま真直ぐ地面に向け延長している。
【００１５】
室外機９の吹出口には、蛇腹状のファン・シェラウド１６が設けられており、一方の開口部は室外機９の吹出口に圧着し、他方の開口部は室外機９の前面に設けたパネル枠１７の裏側に両面テープ、ラバーマグネット、ネジ等の固定部材１８で固定されている。パネル枠１７内でファン・シェラウド１６の前面には、スリット１９が設けられている。
【発明の効果】
【００１６】
本発明によれば、連結管および排水ドレンが室内から見えないので室内の美観を損なうことはない。また、空調機器が後付けの場合でも、建物外部に空調機器の配管が露出することなく設置可能となる。また、空調機器が未設置の場合でも、ジョイントボックスの前面に化粧パネルを当着することにより、室内の美観に与える影響は少ない。そして、配管用ダクトに配管の曲がりを許容した大きさの室内用ジョイントボックスや配管の曲がりを許容した大きさの室外用ジョイントボックスを設けることにより、配管作業が容易となり作業能率が向上する。また、室外機を床下に設置すれば、空調機器を効率よく稼働できると共に、床下の換気も併せて行え、湿気の除去にも役立つものである。
【図面の簡単な説明】
【００１７】
【図１】請求項１の本発明の一実施の形態を示す側面図である。
【図２】請求項１の本発明の一実施の形態を示す部分拡大断面図である。
【図３】請求項２の本発明の一実施の形態を示す側面図である。
【図４】請求項２の本発明の一実施の形態を示す部分拡大断面図である。
【符号の説明】
１      壁面
２      建物
３      配管用ダクト
５      室内用ジョイントボックス
６      室内機
７      室外用ジョイントボックス
８      フード
９      室外機
１０    連結管
１１    排水ドレン
１３    床下
１４    床
１５    配管ハンガー
１６    ファン・シェラウド
１７    パネル枠
【図１】
0003946824.tif 000002
【図２】
0003946824.tif 000003
【図３】
0003946824.tif 000004
【図４】
0003946824.tif 000005